(57)【特許請求の範囲】
【請求項１】
断続的に流れる水に薬液容器内の薬液を供給するための薬液供給装置であって、
薬液容器を支持する支持体と、
薬液容器より下方で前記支持体に支持され、断続的に流れる水と接触する位置に置かれる薬液保持体と、
薬液容器から前記薬液保持体に薬液を供給し得るように上下方向に延びた供給部とを備え、
前記供給部は、上端部が薬液容器の口部に結合可能とされ、上下方向に延びる薬液通路を形成しており、前記薬液通路の下端部には薬液を下端の開口まで導く導孔が形成され、
前記薬液保持体は、前記導孔の下端開口縁に当接又は近接する位置から下方へ延びており、毛管作用により前記導孔の開口から薬液を導出して保持する保持溝が表面に形成されており、
前記保持溝が、前記薬液保持体の上端から下方へ１０ｍｍ以下の長さで延びていることを特徴とする薬液供給装置。
【請求項２】
薬液容器の温度変動により薬液容器から前記薬液保持体へ薬液が流出するのを防止する調整機構をさらに備え、前記調整機構は、前記支持体に支持された緩衝室と、前記緩衝室の上部に設けられた空気流通孔と、前記緩衝室に連通するように前記供給部の下部に設けられた緩衝孔とを備えていることを特徴とする請求項１に記載の薬液供給装置。
【発明の詳細な説明】
【技術分野】
【０００１】
本発明は、断続的に流下する水に薬液を排出させる薬液供給装置に関し、例えば、水洗トイレにおける貯水タンク上面の手洗い部に設置される芳香、消臭、洗浄等のための薬液の供給装置に関する。
【背景技術】
【０００２】
この種の薬液供給装置としては、例えば、水洗トイレにおける貯水タンク上部の手洗い部に配置され、放水タップから手洗い部に供給される水とともに貯水タンク内に薬液を供給するものが種々提案されている。
【０００３】
たとえば、特許文献１に記載された薬液供給装置は、貯水タンクの手洗い部に置かれる供給具本体上に薬液容器を支持し、供給具本体の底部に配置された含浸体に薬液容器下部の孔から薬液を導出する構造となっている。こうして含浸体に導出された薬液は、放水タップから手洗い部に流れる水と共に貯水タンク内に流入する。
【０００４】
また、特許文献２に記載された薬液供給装置は、手洗い部に置かれる支持体に薬液容器を支持し、支持体には上下方向に延びた供給管とその下端に結合された案内部材とを設け、供給管は薬液容器の排出孔に接続可能とし、案内部材は手洗い部に流れる水に接触する位置に置かれる構造となっている。これにより、薬液容器から供給管を通じて案内部材に流れた薬液は、放水タップから手洗い部に流れる水と共に貯水タンク内に流入する。この薬液供給装置の支持体には、さらに調整機構が設けられており、流水への接触等により薬液容器の温度が変動したときに、容器の内圧が変化しても、これに伴って薬液容器内の薬液が緩衝室との間で出入りする。したがって、手洗い部に流れる水が、負圧となった薬液容器内に吸入されて薬液容器内の薬液が希釈化されるのが防止される。
【先行技術文献】
【特許文献】
【０００５】
【特許文献１】特開２００２−３２７４８０号公報
【特許文献２】特開２００４−３００８６１号公報
【発明の概要】
【発明が解決しようとする課題】
【０００６】
上記の従来の薬液供給装置は、いずれも含浸体や案内部材という薬液受け部に薬液容器から僅かずつ薬液を排出し続けるものであり、薬液受け部には常に薬液が供給されていた。したがって、放水タップからの放水の有無に拘わらず薬液が排出され続け、薬液受け部での貯留量を超えた薬液は、放水がなくても薬液受け部から貯水タンクへと滴下し続けていた。その結果、必要以上の薬液が薬液容器から放出されて無駄となり、使用者の不在等により長期間トイレが使用されない場合には、知らぬ間に薬液容器の薬液がなくなったり減量したりしているという問題を生じていた。このような問題は、断続的に流れる水に薬液容器内の薬液を供給する種々の薬液供給装置においても同様に生じ得る。
【０００７】
本発明は、このような従来技術の問題を解決し、断続的に流れる流水に薬液容器内の薬液を供給するにあたり、流水があるときに該流水に伴われて薬液を放出し、流水がないときに薬液が薬液容器から無駄に放出されるのを防止し得る薬液供給装置を提供することを目的とする。
【課題を解決するための手段】
【００１０】
本発明は、前記目的を達成するため、断続的に流れる水に薬液容器内の薬液を供給するための薬液供給装置であって、薬液容器を支持する支持体と、薬液容器より下方で該支持体に支持され、断続的に流れる水と接触する位置に置かれる薬液保持体と、薬液容器から前記薬液保持体に薬液を供給し得るように上下方向に延びた供給部とを備え、前記供給部は、上端部が薬液容器の口部に結合可能とされ、上下方向に延びる薬液通路を形成しており、該薬液通路の下端部には薬液を下端の開口まで導く導孔が形成され、前記薬液保持体は、前記導孔の下端開口縁に当接又は近接する位置から下方へ延びており、毛管作用により前記導孔の開口から薬液を導出して保持する保持溝が表面に形成されており、前記保持溝が、前記薬液保持体の上端から下方へ１０ｍｍ以下の長さで延びていることを特徴とする薬液供給装置を提供するものである。
【００１１】
本発明によれば、前述と同様にして、断続的に流れる水に対し薬液保持体から薬液を放出することができる。特に、この薬液供給装置においては、毛管作用により前記導孔の開口から薬液を導出する保持溝が薬液保持体の表面に形成されているので、導孔の下端開口まで導かれた薬液は、薬液保持体へ移行すると共に、保持溝内へと導かれ、保持溝内に保持され、滴下が生じないか、生じても問題とならない少量に留まる。したがって、流水が薬液保持体に接したときに、保持されている薬液が水に伴われて放出される。そして、その後に新たに薬液が導孔から保持溝に導出されて保持される。その結果、この薬液供給装置は、流水があるときに該流水に伴われて薬液を放出し、流水がないときに薬液が薬液容器から無駄に放出されるのを防止することができる。
【００１２】
前述の平坦面の薬液保持体及び上記保持溝付きの薬液保持体においては、薬液保持体に水が付着していても、薬液は薬液保持体へと移行するが、これは、薬液が水より比重が大きいため、重力に伴って薬液が水を押しのけるようにして移行するものと考えられる。
【発明の効果】
【００１３】
以上の通り、本発明によれば、断続的に流れる流水に薬液容器内の薬液を供給するにあたり、流水があるときに該流水に伴われて薬液を放出し、流水がないときに薬液が薬液容器から無駄に放出されるのを防止し得る薬液供給装置を提供することができる。
【図面の簡単な説明】
【００１４】
【図１】本発明の第１実施形態に係る薬液供給装置の正面図（ａ）及び側面図（ｂ）である。
【図２】図１に示す薬液供給装置を分解して示す正面図である。
【図３】図１に示す薬液供給装置の薬液収納部の縦断正面図である。
【図４】図１に示す薬液供給装置のカバー部材の平面図（ａ）及び縦断正面図（ｂ）である。
【図５】図１に示す薬液供給装置の支持体の平面図（ａ）及び縦断正面図（ｂ）である。
【図６】図１に示す薬液供給装置のカバー部材と支持体とを分解して示す斜視図（ａ）及び組み合わせ状態の縦断正面図（ｂ）である。
【図７】図６に示したカバー部材の細管部及び支持体の嵌合突部の嵌合についての説明図であり、図７（ａ）は嵌合前の状態を示す斜視図、図７（ｂ）は嵌合後の状態を示す縦断面図である。
【図８】図１に示す薬液供給装置における供給部及び薬液保持体を中心に拡大して示す縦断正面図であり、支持体とカバー部材とを分離した状態で示す。
【図９】図８に示す薬液保持体の横断面図である。
【図１０】本発明の第２実施形態に係る薬液供給装置の正面図（ａ）及び側面図（ｂ）である。
【図１１】図１０に示す薬液供給装置における供給部及び薬液保持体を中心に示す拡大断面図であり、支持体とカバー部材とを分離した状態で示す。
【図１２】図１０に示す薬液保持体の横断面図である。
【図１３】図１に示す薬液供給装置に適用できる供給部の他の形態を示す縦断正面図である。
【図１４】本発明についての実験例に用いた薬液供給装置における薬液保持体の形態を示す縦断正面図である。
【図１５】薬液供給装置の性能実験において放置日数と薬液残存量との関係を表すグラフである。
【図１６】薬液供給装置の性能実験において放置日数と薬液残存量との関係を表すグラフである。
【図１７】薬液供給装置の性能実験において放置日数と薬液残存量との関係を表すグラフである。
【図１８】薬液供給装置の性能実験において放置日数と薬液残存量との関係を表すグラフである。
【図１９】薬液供給装置の性能実験において放置日数と薬液残存量との関係を表すグラフである。
【図２０】薬液供給装置の性能実験においてフラッシュ回数と薬液残存量との関係を表すグラフである。
【発明を実施するための形態】
【００１５】
以下、本発明に係る薬液供給装置の実施形態について添付図面を参照しつつ説明する。図面に示す実施形態中、同一又は同種の部材には同一の番号を付して説明を省略することがある。
（第１実施形態）
まず、本発明の第１実施形態について説明する。図１は、水洗トイレにおける貯水タンク上部の手洗い部に配置される薬液供給装置の正面図（ａ）及び側面図（ｂ）であり、図２は薬液供給装置の分解図である。
【００１６】
図１及び図２に示すように、この薬液供給装置は、芳香洗浄剤等の薬液を収容する薬液容器１と、この薬液容器１を支持するカップ状の支持体２と、支持体２内に取り付けられ薬液容器１に接続されるカバー部材３と、薬液容器より下方で支持体２に支持され、断続的に流れる水と接触する位置に置かれる薬液保持体５とを備えている。この薬液供給装置は、支持体２の脚部が手洗い部の排出口Ｂに挿入されるようにして、貯水タンク上部の手洗い部Ａに設置される。なお、薬液容器１に収納される薬液の粘度は、特には限定されないが、例えば、２５℃において８０〜５００ｍＰａ・ｓ、または５℃において２００〜２０００ｍＰａ・ｓ、好ましくは、２５℃において１２０〜３００ｍＰａ・ｓ、または５℃において３００〜１２００ｍＰａ・ｓとすることができる。ここでいう粘度は、Ｂ型粘度計（東機産業株式会社製：型番  ＴＶＢ−１０形粘度計）において、設定温度５℃または２５℃で設定、ローターＮｏ．２、攪拌条件３０ｒｐｍ、攪拌時間１分の条件において測定される。
【００１７】
図３は薬液容器１の縦断正面図である。薬液容器１は、図示のように、隣接する１対の薬液収納部１１を備え、各薬液収納部１１の下端には、薬液排出のための口部１２が形成されている。薬液収納部１１は、一部又は全体が透明又は半透明の材料で構成され、外部から芳香洗浄剤などの薬液の残量が確認できるようになっている。口部１２は、製造後の流通及び保管時には図外のキャップで閉じられ、使用時に開封される。
【００１８】
図４はカバー部材３の平面図（ａ）及び正面断面図（ｂ）である。図４に示すように、カバー部材３は、１対の円筒状部分３１が板状の結合部３２で結合されて平面視瓢箪形をなしている。円筒状部分３１の各々は、内側壁３３と上壁３４を備えており、上壁３４を供給部４が貫き、下端は開放されている。該円筒状部分３１の上壁３４は、供給部４を囲む下段壁３４１と、１対の円筒状部分３１の外側において下段壁３４１より高い位置にあり、平面視三日月状をなす上段壁３４２とからなり、上段壁３４２には空気流通孔３４３が複数個（この例では４個）設けられている。この円筒状部分３１が、後述する上部部材を構成している（以下、上部部材も３１で示す）。
【００１９】
供給部４は、カバー部材３の一部として一体的に形成され下段壁３４１を貫いて延びる管状部４１と、支持体２と一体的に形成され支持体の底壁から上方へ延びる嵌合突部４２（後述）とを備え、薬液を薬液容器１から薬液保持体５に通す薬液通路を形成している。
【００２０】
管状部４１は、下段壁３４１を貫いて延び上端が薬液容器１の口部１２に接続される接続部４１１と、該接続部４１１の下端に連続する小径の細管部４１２とを備えている。接続部４１１の下端には、細管部４１２の上端を囲む仕切壁４１３が設けられ、該仕切壁４１３には、緩衝孔４１４が複数（この例では３個）形成されている。
【００２１】
図５は、支持体２の平面図（ａ）及び正面断面図（ｂ）であり、図６は、支持体とカバー部材３とを分解して示す斜視図（ａ）、及びこれらを合体した状態で示す正面断面図（ｂ）である。支持体２は、図５に示すように、底部壁２１と、側壁２２とを備えている。底部壁２１上には、カバー部材３の内側壁３３外面に嵌合する瓢箪形の外側壁２３が形成されている。外側壁２３にカバー部材３を嵌め込むことにより、１対の円筒状部分３１と支持体２の底部壁２１との間に緩衝室６が形成される（図６（ｂ）参照）。このように、外側壁２３と該外側壁に囲まれた底部壁２１の部分とは、緩衝室６を形成する下部部材２０を構成している。なお、下部部材は上記のように支持体２と一体的に設けてもよいし、別個に形成して支持体２に接着、ねじ止め等により結合して設けるようにしてもよい。
【００２２】
底部壁２１と側壁２２には、貯水タンク放水タップからの水が支持体２内部へ流入したときにその水を外部へ排出するための開口２４が外側壁２３の外側の位置に複数形成されている。この開口２４は、排出に必要な大きさと個数（１個又は複数個）とされる。
【００２３】
図７は、図６に示したカバー部材３の細管部４１２及び支持体２の嵌合突部４２の嵌合について詳細に示す図であり、図６における右側の細管部４１２及び嵌合突部４２を中心に示している。図７（ａ）は嵌合前の状態を示す斜視図、図７（ｂ）は嵌合後の状態を示す縦断面図である。
【００２４】
図７に示すように、支持体の底部壁２１から上方へ延びる嵌合突部４２は、細管部４１２下端の内側面に嵌合する径とされている。また、嵌合突部４２の外側面には、上端から下端まで延びる縦溝４２１が形成されており、該縦溝４２１は、細管部４１２の内壁面との間に導孔４２１ａを形成する。縦溝４２１の断面形状は、この例の半円形の他、三角形、四角形などの角形など、種々の断面形状とすることができる。その断面寸法は、毛管作用により薬液を導孔４２１ａの下端開口まで導き得る大きさとされる。さらに、この例では、細管部４１２との嵌合状態を確実に保持するために、細管部４１２下端の外側面に嵌合する環状部４３が支持体２底面から上方へ延びている。
【００２５】
図８は、供給部４及び薬液保持体５を中心に示す拡大断面図であり、図は支持体２とカバー部材３とを分離した状態で示している。支持体２には、導孔４２１ａの下端開口から薬液を保持する薬液保持体５が設けられている。薬液保持体５は、１対の導孔４２１ａに跨る幅を有した板状に形成されており、上端部が各導孔４２１ａ下端の開口縁部に当接し、下方へ延びている。薬液保持体５の表裏双方の表面には、毛管作用により導孔４２１ａの開口から薬液を保持する多数の保持溝５１が形成されている。図９は、薬液保持体５の横断面を拡大して示す図である。図示のように保持溝５１は、三角形の断面形状を有するように形成されている。尤もその溝の断面形状は、四角形、半円形の他、他の多角形や長円形の一部による種々の凹形状とすることができる。
【００２６】
保持溝５１の断面寸法及び長さは、用いる薬液の粘性や濡れ性、表面張力、密度（比重）との関係において、毛管作用により導孔４２１ａの開口から薬液を導出して保持し得るように決められるが、後述するように、その長さは下方へ１０ｍｍ以下とされる。
【００２７】
図１、図５及び図６に示すように、支持体２の底面には、薬液保持体５表裏面から間隔をおいて位置する２本の長脚２５と、これら長脚２５の周囲に配置された４本の短脚２６とが下方へ延びるように設けられている。これらの脚２５、２６のうち、長脚２５は手洗い部の排水口Ｂに挿入可能となっており、各短脚２６は長脚２５が排水口Ｂに挿入された状態で、支持体２を手洗い部Ａ上にほぼ水平に支持する。また、薬液保持体５と長脚との間には、支持体２底面から遮蔽部材２７が下方へ延びている。長脚２５に対し薬液保持体５、遮蔽部材２７は、これらの順に長さが短くなっており、長脚２５は支持体２を排水口に位置決めし、薬液保持体５は排水口に流下する水に接し、遮蔽部材２７は流下する水が導孔４２１ａに達しないように、各々の長さが決められている。薬液保持体５は、樹脂により支持体２と共に一体成形されており、薬液に対して非浸透性を有している。この樹脂としては、ポリエチレン、ポリプロピレン等、通常の樹脂製容器に使用されているものを使用することができる。
【００２８】
この薬液供給装置は、図６（ｂ）に示すように、カバー部材３の内側壁３３の外側に、支持体２の外側壁２３を嵌合して緩衝室６を形成した後、カバー部材３から上方へ延びる接続部４１１に薬液容器１の口部１２を嵌入することにより組み立てられる。
【００２９】
図示の薬液供給装置の主な仕様は、以下の通りである。
・薬液容器１の容量：７４ｍｌ（１ボトル当たり、３７ｍｌ）
・導孔４２１ａ：半径０．３３ｍｍの扇形（中心角４５度）
・緩衝孔：半径０．３３ｍｍの円形
・薬液保持体５：幅１３ｍｍ、長さ１０ｍｍ、厚さ２ｍｍの矩形板
・保持溝５１：幅０．５ｍｍ、深さ０．２５ｍｍ、長さ１０ｍｍ、表裏計４８本
なお、本発明は上記仕様に限定されるものではない。
【００３０】
上記のように構成された薬液供給装置は、次のように作用する。すなわち、薬液容器１内の薬液は、接続部４１１内に流入し、導孔４２１ａは接続部４１１内の薬液を下端開口まで導く。導かれた薬液は、導孔の下端開口縁に当接している薬液保持体へと移行し、さらに、薬液保持体５の保持溝５１の毛管作用により該保持溝へと導かれ、そこで保持される。薬液保持体５は支持体２の底部壁２１下面にほぼ垂直に当接しているので、薬液は該当接部縁に沿って薬液保持体５の上端部で幅方向に広がり、そこから各保持溝５１へと導かれる。その結果、薬液保持体５に形成された保持溝５１のほぼ全体に亘って薬液が保持される。
【００３１】
この状態でトイレの洗浄水をフラッシュさせると、これに伴って手洗い部の放水タップから吐出された水は、手洗い部を流れて薬液保持体５に接触しつつ貯水タンクへと流れる。これにより、保持溝５１に保持されていた薬液は、接触した水と共に貯水タンクの中に流れ込む。その後は、再び薬液が導孔４２１ａの下端開口から薬液保持体５に移行して保持溝５１に保持される。この保持状態で薬液は、保持溝５１から滴下しないか、滴下してもごく僅かである。また、以下に説明する温度変化時の薬液流動の緩衝作用に伴われて薬液が薬液保持体５に移動することがあるが、この量も僅かである。したがって、次に洗浄水のフラッシュが行なわれるまでは、多量の薬液が流出し続けることがなく、薬液の無駄な流失が防止される。
【００３２】
このように、薬液保持体５の保持溝５１が薬液の導出及び保持作用を奏するようにするためには、保持溝５１の長さを１０ｍｍ以下とするのが望ましく、５ｍｍ以下とするのがさらに好ましい。
・  この長さが１０ｍｍを超えると、薬液の保持作用が不十分となり、薬液保持体から滴下する薬液の量が無視し得ない大きな量となる。その結果、薬液容器内の薬液が洗浄水を流していないにも関わらず減量し、不経済に減量したりするという問題を生じる。また、後述するように、薬液保持体５は、保持溝がなくても薬液を保持することが可能であるので、保持溝の長さの下限は０ｍｍということになる。但し、保持溝を設けることにより、薬液の広がりがより促進され、薬液の保持量を増すことができるという効果が得られる。この観点から、保持溝の長さは、１ｍｍ以上とするのが望ましい。また、薬液が芳香を発する薬液であるような場合は、その香り立ちの強さを確保するという観点では、３ｍｍ以上とするのがさらに望ましい。ここでいう保持溝の長さは、薬液保持体に形成される複数の保持溝の長さの平均値をいう。また、薬液供給装置の通常の設置状態において、保持溝が鉛直方向に直線状に延びる場合の他、鉛直方向に対して斜めに延びる場合や、曲線状に延びる場合においても、鉛直方向に見た長さ（鉛直面に投影した長さ）をいう。
【００３３】
また、薬液保持体５の形状は上記のように板状に限定されるものではなく、棒状、或いは筒状に形成されたものであってもよく、断続的に流れる水と接触する位置に置かれる種々の形状とすることができる。
【００３４】
なお、薬液保持体５の上端部は、必ずしも導孔４２１ａ下端の開口縁に当接していなくてもよく、導孔４２１ａの下端開口に導かれた薬液が薬液保持体５上へ移行し得る程度に、薬液保持体５と導孔４２１ａ下端の開口縁との間に間隙を形成して近接させることもできる。この場合も、薬液は薬液保持体５と支持体２の底部壁２１下面との間の間隙に沿って薬液保持体５の幅方向に広がり、そこから各保持溝５１へと導かれ、薬液保持体５に形成された保持溝５１のほぼ全体に亘って薬液が保持される。
【００３５】
上述の緩衝室６、カバー部材３の空気流通孔３４３、供給部４の緩衝孔４１４は、調整機構を構成しており、温度変化に対して緩衝作用をする。すなわち、薬液容器１が暖められ容器内の空気が膨張して正圧になると、容器内の薬液は導孔４２１ａの他、緩衝孔４１４を経て緩衝室６にも流れ込むため、薬液が導孔４２１ａへ過剰に流出するのが防止される。一方、流水で冷やされる等して薬液容器１の温度が低下し容器内の空気が収縮して負圧になると、空気流通孔３４３により大気圧又は室内圧が作用している緩衝室６内の薬液は、緩衝孔４１４を経て薬液容器１内へ吸い込まれる。したがって、薬液保持体５上の水又は薄められた薬液が細管部４１２を経て容器１側へ戻されるのを抑制することができる。また、薬液容器１内の負圧によって薬液の排出が制限されるのを、防止することができる。
【００３６】
また、緩衝室６は、支持体２に一体的に形成された下部部材の外側壁２３が、上部部材の内側壁３３の外側に嵌合する構造となっているので、支持体２内へ流入した水が下側から緩衝室６内へ侵入し難く、緩衝室６内の薬液が侵入した水により希釈されるのが防止される。
【００３７】
導孔４２１ａを形成するための縦溝４２１は、複数設けることもできる。この場合、導孔の総開口面積（すべての導孔の開口面積の和）は、薬液の排出量を適切にし、過剰な排出又は排出量不足を防止するように調整される。また、温度変化に対する緩衝作用を円滑にするために、緩衝孔の流動抵抗は、導孔の流動抵抗より小さいことが好ましい。
【００３８】
このようにして、緩衝作用のための緩衝孔からの流出入と、導孔からの通常時の流出とを安定的に且つ適正な量に保つことができ、薬液の正確な排出を確実に行なうことが可能となる。このためには、薬液として芳香消臭剤を使用する場合は、通常の薬液粘度（８０〜１０００ｍＰａ・ｓ）に対して、導孔は例えば、半径０．２ｍｍ〜０．７ｍｍの扇形（中心角４５度程度）、緩衝孔は半径０．４ｍｍ〜０．９ｍｍの円形（１〜５個程度）の大きさとするのが望ましい。
【００３９】
薬液保持体５は、下端部が手洗い部の排水口に挿入されるので、排出された薬液は、薬液保持体５に沿って排水口内に案内される。手洗い部の排水口には、手洗い部の形態に関わらず、放水タップからの流水が流れ込むため、薬液保持体５上の薬液は流水によって確実に洗い流される。したがって、本実施形態に係る薬液供給装置は、例えば放水タップの位置、手洗い部の形態に依存することなく、種々のトイレで使用することができる。また、薬液保持体５上の薬液は、流水に洗い流されることにより、直接排水口に流入するため、例えば薬液に色素などの成分が含まれている場合であっても、この色素によって手洗い部が汚されるのを防止することができる。
（第２実施形態）
次に、本発明の第２実施形態について説明する。図１０は、水洗トイレにおける貯水タンク上部の手洗い部に配置される薬液供給装置の正面図（ａ）及び側面図（ｂ）であり、図１１は供給部及び薬液保持体を中心に示す拡大断面図であり、図１２は薬液保持体５’の横断面を拡大して示す図である。
【００４０】
この実施形態に係る薬液供給装置は、第１実施形態のものとほぼ同じ構造を有しており、異なるのは薬液保持体の表面が平坦面となっており、保持溝が形成されていない点である。すなわち、薬液保持体５’は、第１実施形態の薬液保持体５から保持溝５１をなくした形態となっている。
【００４１】
この薬液供給装置の作用は、基本的に第１実施形態のものと同じであり、平坦面の薬液保持体５’は、次のように作用する。薬液容器１から導孔４２１ａの下端開口まで導かれた薬液は、導孔の下端開口縁に当接している薬液保持体５’へと移行する。薬液保持体５’は支持体２の底部壁２１下面にほぼ垂直に当接しているので、薬液は該当接部縁に沿って薬液保持体５’の上端部で幅方向に広がる。薬液保持体５’の表面は平坦面であるので、薬液はこうして移行した箇所に保持されたままとなる。
【００４２】
この状態でトイレの洗浄水をフラッシュさせると、これに伴って手洗い部の放水タップから吐出された水は、手洗い部を流れて薬液保持体５’に接触し、保持されていた薬液を伴って貯水タンクへと流れる。その後は、再び薬液が導孔４２１ａの下端開口から薬液保持体５’に移行して保持される。この保持状態で、通常は薬液が薬液保持体５’を伝って滴下することはないが、以下に説明する温度変化時の薬液流動の緩衝作用に伴われて薬液が薬液保持体５’上に押し出され、押し出し量が多いと薬液保持体５’から滴下することがあるが、この量も僅かである。したがって、次に洗浄水のフラッシュが行なわれるまでは、多量の薬液が流出し続けることがなく、薬液の無駄な流失が防止される。
（他の実施形態）
以上、本発明の実施形態について説明したが、本発明はこれらに限定されるものではなく、その趣旨を逸脱しない限りにおいて種々の変更が可能である。例えば、前述の例では、薬液容器の薬液収納部を２つとし、これに対応して緩衝室などを２つ設けたが、これらを各々１つ又は３つ以上とすることもできる。
【００４３】
また、上記薬液保持体５は、必ずしも排水口への挿入位置にある必要はなく、排水口に臨む位置など、流水に接触する他の位置に配置されていてもよい。
【００４４】
導孔は、前述の例のように嵌合突部４２の縦溝４２１と細管部４１２とで形成するのに代えて、図１３に示すように、薬液通路下端部を閉じる閉鎖部４２０に設けられた貫通孔４２０ａによって形成することもできる。この貫通孔の下端開口縁も、半円形、三角形、四角形など、種々の形状とすることがで、少なくとも１箇所に角部を有する形状とするのが望ましい。図１３では、薬液保持体５の上端部は、貫通孔４２０ａの下端開口に導かれた薬液が薬液保持体５上へ移行し得る程度に、薬液保持体５と貫通孔４２０ａ下端の開口縁との間に間隙を形成して近接させた状態としている。
【００４５】
さらに、本発明に係る薬液供給装置は、水洗トイレの貯水タンクの手洗い部に設置する用途の他、インタンク（タンク内に吊り下げて使用するタイプ）、リム式（便器の縁に取り付けるタイプ）、台所や浴室の排水口などのように、断続的に流れる水に薬液容器内の薬液を供給する種々の用途に用いることができる。
［実験例］
本発明に係る薬液供給装置の性能を検証するために、以下の実験を行なった。
(1) 薬液供給装置
実施形態１及び２に係る薬液供給装置を基本とし、薬液保持体については以下に説明する仕様とした。保持溝を設ける場合は、薬液保持体の上下方向に全長に亘って延びるように形成したので、薬液保持体と保持溝とは同じ長さである。
(2) 薬液
界面活性剤、香料、及び水からなる水洗トイレ用芳香洗浄剤を基本となる薬液として用い、必要な場合に以下に説明する変更を加えた。この薬液は、粘度が２５℃において２４０ｍＰａ・ｓ、５℃において６９０ｍＰａ・ｓのものを用いた。なお、粘度は、Ｂ型粘度計（東機産業株式会社製：型番  ＴＶＢ−１０形粘度計）において、設定温度２５℃または５℃で、ローターＮｏ．２、攪拌条件３０ｒｐｍ、攪拌時間１分の条件において測定した。
(3) 実験方法
(A) 放置下での減量測定
薬液が７２ｍｌ（３６ｍｌ×２）充填された薬液容器を薬液供給装置に装着し、これを室内に放置し、薬液の減少状況を調べた。測定は２４〜７２時間おきに行ない、薬液容器内に残留する薬液の重量（ｇ）を測定した。
(B) 使用状況下での減量測定
薬液が７２ｍｌ（３６ｍｌ×２）充填された薬液容器を薬液供給装置に装着し、これをＴＯＴＯ株式会社製貯水タンクＳ７３１Ｂの手洗い部上に置き、長脚を手洗い部が排水口に挿入されるように設置した。トイレに洗浄水をフラッシュをするときは、６０分毎に貯水タンクのレバー操作をしてタンク内の水を流した（１日に２４回フラッシュする事になる）。１回のフラッシュ時に手洗い部に流れる水の量は４０００ｃｃとした。
【００４６】
フラッシュを所定回数（２４〜７２回）する毎に薬液容器内の薬液残存量（重さ）を測定した。
【００４７】
各実験の同じ仕様でのサンプル数は、３個であり、その平均値をグラフに表した。
(4) 実験内容と結果
(A) 放置下での減量測定
(a) 従来品の性能（比較例１）
従来品として、薬液保持体が、実施形態に示す矩形状に近く長さが１７ｍｍのものを用いて放置下での減量測定を行なった。保持溝の形状及び本数は実施形態と同じである。
【００４８】
実験の結果をグラフ１に示す（曲線(i)）。薬液供給装置からは、フラッシュが行なわれないときにも薬液が継続的に滴下していた。その結果、グラフに見るとおり、薬液は約５０日で全てが流出した。
(b) 本発明装置の性能
(b-1) 平坦面の薬液保持体を備えた薬液供給装置（実施例１）
実施形態２に示した表面が平坦な薬液保持体（保持溝なし）を備えた薬液供給装置を用いて放置下での減量測定を行なった。その結果をグラフ２に示す（曲線(ii)）。グラフ２には、参考のため従来品の結果（曲線(i) ）を並べて示す。
【００４９】
グラフに見るとおり、薬液量の減少は極めて少ない。僅かに減少しているのは、緩衝室等により室温の変化に対する緩衝作用が機能し、そのときの薬液の流動に伴って僅かな量が流出したものと考えられ、より微量ではあるが、薬液保持体に流出している薬液の乾燥や香料の揮散、重量測定時の衝撃等による減量も影響していると考えられる。
(b-2) 保持溝付きを備えた薬液保持体を備えた薬液供給装置（実施例２〜４）
実施形態１に示した保持溝付きの薬液保持体を備えた薬液供給装置を用い、薬液保持体の長さＬを以下の寸法としたものを用いて放置下での減量測定を行なった。
・実施例２：Ｌ＝１０ｍｍ
・実施例３：Ｌ＝５ｍｍ
・実施例４：Ｌ＝３ｍｍ
結果をグラフ３に示す。グラフ３は、実施例２，３，４の結果を各々曲線(iii), (iv),(v)として示し、参考のため従来品の結果（曲線(i) ）を並べて示す。
【００５０】
グラフに見るとおり、薬液の量は、従来品より長期に亘って維持されており、薬液保持体の長さが短いほど薬液量の維持期間も長くなっている。薬液保持体が長いほど薬液量の維持期間が短くなっているのは、保持溝が長くなると、薬液の滴下量が増えたためである。
(c) 本発明の変形例（実施例５〜７）及び比較例
本発明の変形例として、薬液保持体の形状を種々変えて放置下での減量測定を行なった。図１４は、変形例に係る薬液保持体の概略的な形状を示している。図１４(a) は薬液保持体の下端が斜めであり長い方の側部の長さがＬ１、短い方の側部の長さがＬ２となった斜め型、図１４(b) は薬液保持体の下端が中央の長さＬ３から両側へＬ４だけ上昇するように傾斜したホームベース型を示している。いずれの場合も、薬液保持体の全長に亘って保持溝を形成している。
【００５１】
斜め型の例として以下の仕様のものを用いた。
・実施例４：Ｌ１＝１７ｍｍ、Ｌ２＝３ｍｍ
・実施例５：Ｌ１＝１０ｍｍ、Ｌ２＝３ｍｍ
・比較例２：Ｌ１＝１７ｍｍ、Ｌ２＝１０ｍｍ
・比較例３：Ｌ３＝１７ｍｍ（最長部）、Ｌ４＝３ｍｍ（短辺）（ホームベース型）
結果をグラフ４に示す。グラフ４は、実施例４，５の結果を各々曲線(vi), (vii)、比較例２，３，結果を各々曲線(viii), (ix)として示す。
【００５２】
グラフに見るとおり、薬液の量は、実施例４，５とも比較例１より長く維持されており、比較例２，３では従来品とほぼ同じ維持期間となっている。これは、薬液保持体の形状と共に保持溝の長さの分布が変化しても、平均値が１０ｍｍ以内であれば良好な薬液の維持性能を有することを明らかにしている。一方、保持溝の長さ分布の平均値が１０ｍｍを上回っている比較例２，３はいずれも薬液の維持性能に劣っている。
(d) 薬液粘度との関係（実施例６，７）
保持溝長さの適正値に薬液の粘度がどのように関係するかを調べるために、粘度の異なる薬液を用い、薬液保持体として以下の寸法の矩形板のものを用いて放置下での減量測定を行なった。この薬液は、粘度が２５℃において８０ｍＰａ・ｓ、５℃において３０５ｍＰａ・ｓのものを用いた。薬液の処方及び粘度の測定方法は上述したものと同じである。
・実施例６：Ｌ＝５ｍｍ
・実施例７：Ｌ＝３ｍｍ
結果をグラフ５に示す。グラフ５は、実施例６，７の結果を各々曲線(xi), (xii)として示す。グラフ５と先のグラフ３の薬液保持体の長さ５ｍｍ、３ｍｍの結果（曲線(iv), (v)）とを比べると明らかなとおり、薬液の粘度が変わっても維持性能に大きな変化は生じていない。
【００５３】
したがって、保持溝の長さが１０ｍｍ以内であると薬液の流出が抑制され維持期間が長くなるというのは、薬液の粘度に関わりなく言えることが明らかである。
(B) 使用状況下での減量測定
実施例１，２，３の薬液供給装置を用い、使用状況下での減量測定を行なった。結果をグラフ６に示す。グラフ６は、実施例１（保持溝なし）のものを曲線(xiii)として示し、実施例３．４（保持溝あり）の装置を用いたものを各々曲線(xiv), (xv)として示している。このグラフでは、横軸をフラッシュ回数としている。グラフに見るとおり、いずれの仕様のものも薬液の維持期間が比較例１と大きくは変わらない。これは、薬液の放出量が比較例１（従来品）とさほど変わらず、フラッシュにより十分な薬液が貯水タンクに供給されていることを示している。
(5) まとめ
以上の実験から、本発明の実施例では、放置下において薬液の減量が少なく長期に亘って薬液量が維持される一方、使用状況下においては洗浄水のフラッシュにより十分な量の薬液が貯水タンクに供給されることが明らかであり、比較例からは得られない効果を奏することが明らかである。
【符号の説明】
【００５４】
１：薬液容器
２：支持体
４：供給部
５：薬液保持体
６：緩衝室（調整機構）
５１：保持溝
３４３：空気流通孔（調整機構）
４１４：緩衝孔（調整機構）
４２１ａ：導孔
【図１】
0005578802.tif 000002
【図２】
0005578802.tif 000003
【図３】
0005578802.tif 000004
【図４】
0005578802.tif 000005
【図５】
0005578802.tif 000006
【図６】
0005578802.tif 000007
【図７】
0005578802.tif 000008
【図８】
0005578802.tif 000009
【図９】
0005578802.tif 000010
【図１０】
0005578802.tif 000011
【図１１】
0005578802.tif 000012
【図１２】
0005578802.tif 000013
【図１３】
0005578802.tif 000014
【図１４】
0005578802.tif 000015
【図１５】
0005578802.tif 000016
【図１６】
0005578802.tif 000017
【図１７】
0005578802.tif 000018
【図１８】
0005578802.tif 000019
【図１９】
0005578802.tif 000020
【図２０】
0005578802.tif 000021